(57)【特許請求の範囲】
【請求項１】
ハードディスクドライブ（ＨＤＤ）を収容するＨＤＤトレーに取り付けられるインタフェースコネクタカバーであって、
前記ＨＤＤトレーに取り付けられている状態で当該ＨＤＤトレーがアレイ装置に実装されることにより、前記アレイ装置のバックパネルに設けられているＨＤＤ接続用のインタフェースコネクタの正面、側面、上面及び底面を覆うカバー機構を備え、
前記ＨＤＤトレーに着脱自在であり、かつ、正面形状が四角錘状である構成を備えている
インタフェースコネクタカバー。
【請求項２】
前記ＨＤＤトレーにネジによって取り付けられる構成を備えることにより、前記ＨＤＤトレーから取り外し可能である請求項１に記載のインタフェースコネクタカバー。
【請求項３】
前記カバー機構は、インタフェースコネクタカバーの底面から凸状に形成され、当該カバー機構の内部に前記インタフェースコネクタを差し込む差し込み口は、インタフェースコネクタカバーの背面部に形成されている請求項１又は請求項２に記載のインタフェースコネクタカバー。
【請求項４】
ハードディスクドライブ（ＨＤＤ）を収容するＨＤＤトレーであって、
請求項１乃至請求項３の何れか一つに記載のインタフェースコネクタカバーを着脱自在に取り付け可能な構成を備え、
前記インタフェースコネクタカバーを取り外した後に、ＨＤＤを実装可能なＨＤＤトレー。
【請求項５】
ＨＤＤ接続用のインタフェースコネクタがバックパネルに設けられているアレイ装置であって、請求項４に記載のＨＤＤトレーを備えているアレイ装置。
【発明の詳細な説明】
【技術分野】
【０００１】
本発明は、アレイ装置用ＨＤＤトレーに関し、特に、インタフェースコネクタカバー付きのアレイ装置用ＨＤＤトレーに関する。
【背景技術】
【０００２】
ディスクアレイ装置やディスク増設ユニット（以下アレイ装置とする）は、筐体内部のバックパネルという基板に設置されたインタフェースコネクタにハードディスクドライブ（以下ＨＤＤとする）のコネクタが挿入される構造となっている。ＨＤＤはＨＤＤトレーに取り付けられ筐体の各スロットに実装される。筐体にはファンユニットが有り、ＨＤＤやコントローラボードを冷却する構造となっている。
【０００３】
ＨＤＤが実装されないスロットについては、アレイ装置内部の冷却効果を高めるため、ＨＤＤが実装されていない空のＨＤＤトレーや単なる発砲スチロール状の物体（以下ダミートレーとする）を実装することが多い。
【０００４】
この場合、スロットに何も実装していない場合に比べ冷却効果は上がるが、バックパネルのインタフェースコネクタを塞ぐことはできない。バックパネルのインタフェースコネクタに何も接続されていないと、コネクタ端子に空気中のごみや有害物質が付着し、端子が腐食する、あるいは電気的なショートなどを起こしアレイ装置の誤動作に至る場合がある。
【０００５】
ここで、一般的なアレイ装置の筐体内部の一部を、図８に示す。図８は、一般的なアレイ装置１０００の筺体内部の一部を筐体上面から見た図である。
【０００６】
図８上部の矢印は、空気の流れる方向を示す。空気は、アレイ装置１０００の前面から背面（図８では左から右）に向かって流れ、ＨＤＤ１０５４がアレイ装置１０００の外の空気で冷却されるようになっている。しかし、スロット１０４４が空の場合は空気中のごみや有害物質が吸い込まれ、インタフェースコネクタ１０４２の金属端子に付着し、腐食やショートなどを起こす場合がある。
【０００７】
図８中央部にあるように、ＨＤＤ１０５４が搭載されたＨＤＤトレー１０２０がアレイ装置１０００のスロット１０４４に実装されれば、ＨＤＤ１０５４のコネクタがインタフェースコネクタ１０４２に接続されるため、ごみや有害物質が付着することはない。しかし、現実的にアレイ装置のスロットには空きができるため、その際は図８下部のようにＨＤＤトレー２０、若しくは単なる直方体状の発泡スチロールでできたダミートレーを実装するのが一般的である。
【０００８】
アレイ装置の空きスロットにＨＤＤトレーやダミートレーを実装した場合、冷却効果を高めることはできるが、インタフェースコネクタを覆う構造でないため、インタフェースコネクタの金属端子へのごみや有害物質の付着を防ぐことができない。そのため、背景技術では、運用中のアレイ装置において、ごみと有害物質がアレイ装置内部のインタフェースコネクタに付着し、アレイ装置の誤動作を引き起こす可能性がある。
【０００９】
この問題を解決するため、コネクタカバーを設けたＨＤＤトレーが特許文献１及び特許文献２に開示されている。
【００１０】
特許文献１に記載のコネクタカバーは、板状の構造を有し、該コネクタカバーがコネクタの開口部を塞ぐ構造となっている。
【００１１】
特許文献２に記載のコネクタカバー（コネクタキャップ）は、凹状の構造を有し、ドライブモジュールシャーシ後方の基板のコネクタを覆って保護する。
【先行技術文献】
【特許文献】
【００１２】
【特許文献１】特開平０９−１３００６７号公報
【特許文献２】特開平１１−１４５６５８号公報
【発明の概要】
【発明が解決しようとする課題】
【００１３】
特許文献２に記載のコネクタカバーはダミーモジュールに直接設けられた構造をしており、該ダミーモジュールにＨＤＤを搭載することはできないため、機器の汎用性に欠ける。
【００１４】
また、特許文献１のコネクタカバーは板バネ等の弾性体からなっており、これにより、ＨＤＤ搭載時はコネクタカバーがトレー下側に退避する構造になっているが、トレー下側に退避用のスペースがなければならない。
【００１５】
さらに、特許文献１、２のいずれも、ＨＤＤトレー若しくはダミーモジュールにカバー機構を設けた構造としているため、冷却効果の点で改善の余地がある。
【００１６】
（発明の目的）
本発明の目的は、上述の課題を解決し、インタフェースコネクタの金属端子へのごみや有害物質の付着を防ぐことが可能なＨＤＤトレー、インタフェースコネクタカバー、アレイ装置を提供することである。
【課題を解決するための手段】
【００１７】
本発明の第１のＨＤＤトレーは、アレイ装置のバックパネルに設けられた、ＨＤＤを接続するインタフェースコネクタを覆うインタフェースコネクタカバーを備え、インタフェースコネクタカバーが、インタフェースコネクタの正面、側面、上面及び底面を覆うカバー機構を備え、アレイ装置の空きスロットに実装されることによって、カバー機構がインタフェースコネクタを覆う。
【００１８】
本発明の第１のインタフェースコネクタカバーは、ＨＤＤトレーに備えられ、アレイ装置のバックパネルに設けられた、ＨＤＤを接続するインタフェースコネクタを覆うインタフェースコネクタカバーであって、インタフェースコネクタの正面、側面、上面及び底面を覆うカバー機構を備え、ＨＤＤトレーがアレイ装置の空きスロットに実装されることによって、カバー機構がインタフェースコネクタを覆う。
【００１９】
本発明の第１のアレイ装置は、ＨＤＤを接続するインタフェースコネクタをバックパネルに備えるアレイ装置であって、インタフェースコネクタを覆うインタフェースコネクタカバーを備えたＨＤＤトレーを空きスロットに実装し、インタフェースコネクタカバーが、インタフェースコネクタの正面、側面、上面及び底面を覆うカバー機構を備え、カバー機構がインタフェースコネクタを覆う。
【発明の効果】
【００２０】
本発明によれば、インタフェースコネクタの金属端子へのごみや有害物質の付着を防ぐことができる。
【図面の簡単な説明】
【００２１】
【図１】本発明の第１の実施の形態によるインタフェースコネクタカバーの構成を示す図である。
【図２】本発明の第１の実施の形態によるインタフェースコネクタカバーの構成を示す図である。
【図３】本発明の第１の実施の形態によるインタフェースコネクタカバーの構成を示す図である。
【図４】本発明の第１の実施の形態によるＨＤＤトレーの構成を示す図である。
【図５】本発明の第１の実施の形態によるＨＤＤトレーにインタフェースコネクタカバーを取り付けた状態を示す図である。
【図６】本発明の第１の実施の形態によるＨＤＤトレーにインタフェースコネクタカバーを取り付けた状態を示す図である。
【図７】本発明の第１の実施の形態によるアレイ装置内部の一部分を示す図である。
【図８】背景技術に因るアレイ装置の筐体内部の一部分を示す図である。
【発明を実施するための形態】
【００２２】
本発明の上記及び他の目的、特徴及び利点を明確にすべく、添付した図面を参照しながら、本発明の実施形態を以下に詳述する。なお、上述の本願発明の目的のほか、他の技術的課題、その技術的課題を解決する手段及びその作用効果についても、以下の実施形態による開示によって明らかとなるものである。
【００２３】
なお、すべての図面において、同様な構成要素には同様の符号を付し、適宜説明を省略する。
【００２４】
（第１の実施の形態）
本発明の第１の実施の形態について図面を参照して詳細に説明する。
【００２５】
図１〜図３は、本発明の第１の実施の形態によるインタフェースコネクタカバー１０の構成を示す図である。図１〜図３を参照すると、本実施の形態によるインタフェースコネクタカバー１０は、ネジ穴１１と、インタフェースコネクタカバー１０内部に設けられたカバー機構１２の差し込み口１２１とを備える。
【００２６】
ネジ穴１１は、ＨＤＤトレー２０にインタフェースコネクタカバー１０を取り付ける際に用いられる。
【００２７】
カバー機構１２の差し込み口１２１は、インタフェースコネクタを挿し込む部分である。カバー機構１２は、インタフェースコネクタの正面、側面、上面及び底面を覆う構造となっており、インタフェースコネクタカバー１０の内部に設けられているが、その詳細については後述する。
【００２８】
図４は、本発明の第１の実施の形態によるＨＤＤトレー２０の構成を示す図である。図４では便宜上、ＨＤＤトレー２０を異なる２つの角度から見た状態を図示している。
【００２９】
図４を参照すると、本実施の形態によるＨＤＤトレー２０は、ネジ穴２１を備える。ネジ穴２１は、ＨＤＤトレー２０にＨＤＤを実装する際に使用するネジ穴であり、インタフェースコネクタカバー１０を取り付ける際もこのネジ穴２１を使用する。インタフェースコネクタカバー１０のネジ穴１１とＨＤＤトレー２０の穴２１にネジ３０を締め込む事によって、ＨＤＤトレー２０にインタフェースコネクタカバー１０を取り付けることができる。
【００３０】
図５は、ＨＤＤトレー２０にインタフェースコネクタカバー１０を取り付けた状態を示す図である。図５では便宜上、異なる２つの角度から見た状態を図示している。図５を参照すると、インタフェースコネクタカバー１０のネジ穴１１とＨＤＤトレー２０のネジ穴２１にネジ３０が締め込まれることにより、インタフェースコネクタカバー１０がＨＤＤトレー２０に取り付けられている。
【００３１】
なお、図５では、ネジ３０はマイナスネジとなっているが、これに限定されない。例えば、プラスネジやトルクスネジ等であってもよい。
【００３２】
図６は、ＨＤＤトレー２０にインタフェースコネクタカバー１０を取り付けた状態において、インタフェースコネクタカバー１０の背面部１３、及びカバー機構１２の構造をより明確に示すための図である。
【００３３】
カバー機構１２は、インタフェースコネクタカバー１０の底面から凸状に形成した構造となっており、差し込み口１２１が設けられている。カバー機構１２は、差し込み口１２１から見た場合は、内側に凹んだ形状となる。バックパネルに設置されたインタフェースコネクタが差し込み口１２１からこのカバー機構１２に差し込まれる事により、インタフェースコネクタが覆われる構造となる。
【００３４】
図７は、インタフェースコネクタカバー１０を取り付けたＨＤＤトレー２０をアレイ装置４０に実装した際の、アレイ装置４０内部の一部分を平面図で示した図である。
【００３５】
バックパネル４１は、アレイ装置４０に実装されるＨＤＤと上位側との通信の中継となる基板である。
【００３６】
インタフェースコネクタ４２はバックパネル４１に取り付けられており、アレイ装置４０に実装されたＨＤＤのコネクタを接続するためのものである。
【００３７】
スリット４３は、スロット４４にＨＤＤトレー２０を固定するために作られた仕切り板である。
【００３８】
図７においては、説明の便宜上、インタフェースコネクタカバー１０は断面図で示している。インタフェースコネクタカバー１０に設けられたカバー機構１２は、インタフェースコネクタ４２を覆う構造となっているため、ごみや有害物質がインタフェースコネクタ４２に付着することを防止することができる。
【００３９】
なお、インタフェースコネクタカバー１０の正面の形状は四角錐状になっており、これにより空気の流れが良くなり、アレイ装置４０内部の冷却作用を高める効果がある。
【００４０】
（第１の実施の形態による効果）
本実施の形態によれば、ＨＤＤを実装しないスロットにインタフェースコネクタカバー付きのＨＤＤトレーを実装することにより、インタフェースコネクタへのごみや有害物質の付着を防ぐことができる。
【００４１】
また、本実施の形態によれば、インタフェースコネクタカバーの正面の形状が四角錐状になっているため、空気の流れが良くなり、内部の冷却を高めることができる。
【００４２】
また、本実施の形態によれば、インタフェースコネクタカバーはＨＤＤ搭載可能なＨＤＤトレーにネジにより取り付ける構造となっているため、一般的なＨＤＤトレーにインタフェースコネクタカバーを取り付けることができる。このため、専用のＨＤＤトレーを必要とせず、汎用性が高い。また、ネジにより取り付ける構造となっていることから、専門的な知識を有しないユーザでも簡単にインタフェースコネクタカバー及びＨＤＤの取り付け、取り外しを行なうことができる。
【００４３】
なお、ＨＤＤトレー２０が、アレイ装置４０のバックパネル４１に設けられた、ＨＤＤを接続するインタフェースコネクタを覆うインタフェースコネクタカバー１０を備え、インタフェースコネクタカバー１０が、インタフェースコネクタの正面、側面、上面及び底面を覆うカバー機構１２を備え、アレイ装置４０の空きスロットに実装されることによって、カバー機構１２がインタフェースコネクタを覆うとする最小限の構成によっても、本発明の課題を解決できる。
【００４４】
以上、好ましい実施の形態をあげて本発明を説明したが、本発明は必ずしも、上記実施の形態に限定されるものでなく、その技術的思想の範囲内において様々に変形して実施することができる。
【００４５】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００４６】
また、上記実施形態の一部又は全部は、以下の付記のようにも記載されうるが、これに限定されない。
【００４７】
（付記１）
アレイ装置のバックパネルに設けられた、ＨＤＤを接続するインタフェースコネクタを覆うインタフェースコネクタカバーを備え、
前記インタフェースコネクタカバーが、前記インタフェースコネクタの正面、側面、上面及び底面を覆うカバー機構を備え、
前記アレイ装置の空きスロットに実装されることによって、前記カバー機構が前記インタフェースコネクタを覆う
ことを特徴とするＨＤＤトレー。
【００４８】
（付記２）
前記インタフェースコネクタカバーの正面の形状を、四角錐状に形成したことを特徴とする付記１に記載のＨＤＤトレー。
【００４９】
（付記３）
前記カバー機構を、インタフェースコネクタカバーの底面から凸状に形成し、
インタフェースコネクタカバーの背面部に、前記インタフェースコネクタを前記カバー機構内部に挿し込む差し込み口を形成したことを特徴とする付記１又は付記２に記載のＨＤＤトレー。
【００５０】
（付記４）
前記インタフェースコネクタカバーを取り外し可能な構成とし、
当該取り外し後に、ＨＤＤを実装可能な構成としたことを特徴とする付記１から付記３の何れか１項に記載のＨＤＤトレー。
【００５１】
（付記５）
前記インタフェースコネクタカバー又はＨＤＤを、ネジにより取り付ける構造としたことを特徴とする付記４に記載のＨＤＤトレー。
【００５２】
（付記６）
ＨＤＤトレーに備えられ、アレイ装置のバックパネルに設けられた、ＨＤＤを接続するインタフェースコネクタを覆うインタフェースコネクタカバーであって、
前記インタフェースコネクタの正面、側面、上面及び底面を覆うカバー機構を備え、
前記ＨＤＤトレーが前記アレイ装置の空きスロットに実装されることによって、前記カバー機構が前記インタフェースコネクタを覆う
ことを特徴とするインタフェースコネクタカバー。
【００５３】
（付記７）
正面の形状を、四角錐状に形成したことを特徴とする付記６に記載のインタフェースコネクタカバー。
【００５４】
（付記８）
前記カバー機構を、インタフェースコネクタカバーの底面から凸状に形成し、
インタフェースコネクタカバーの背面部に、前記インタフェースコネクタを前記カバー機構内部に挿し込む差し込み口を形成したことを特徴とする付記６又は付記７に記載のインタフェースコネクタカバー。
【００５５】
（付記９）
ネジにより前記前記ＨＤＤトレーに取り付ける構造とし、前記ＨＤＤトレーから取り外し可能な構成としたことを特徴とする付記６から付記８の何れか１項に記載のインタフェースコネクタカバー。
【００５６】
（付記１０）
ＨＤＤを接続するインタフェースコネクタをバックパネルに備えるアレイ装置であって、
前記インタフェースコネクタを覆うインタフェースコネクタカバーを備えたＨＤＤトレーを空きスロットに実装し、
前記インタフェースコネクタカバーが、前記インタフェースコネクタの正面、側面、上面及び底面を覆うカバー機構を備え、
前記カバー機構が前記インタフェースコネクタを覆う
ことを特徴とするアレイ装置。
【００５７】
（付記１１）
前記インタフェースコネクタカバーの正面の形状を、四角錐状に形成したことを特徴とする付記１０に記載のアレイ装置。
【００５８】
（付記１２）
前記カバー機構を、インタフェースコネクタカバーの底面から凸状に形成し、
インタフェースコネクタカバーの背面部に、前記インタフェースコネクタを前記カバー機構内部に挿し込む差し込み口を形成したことを特徴とする付記１０又は付記１１に記載のアレイ装置。
【００５９】
（付記１３）
前記インタフェースコネクタカバーを取り外し可能な構成とし、
前記ＨＤＤトレーが、当該取り外し後に、ＨＤＤを実装可能な構成としたことを特徴とする付記１０から付記１２の何れか１項に記載のアレイ装置。
【００６０】
（付記１４）
前記インタフェースコネクタカバー又はＨＤＤを、ネジにより取り付ける構造としたことを特徴とする付記１３に記載のアレイ装置。
【符号の説明】
【００６１】
１０：インタフェースコネクタカバー
１１：ネジ穴
１２：カバー機構
１２１：差し込み口
１３：背面部
２０：ＨＤＤトレー
２１：ネジ穴
３０：ネジ
４０：アレイ装置
４１：バックパネル
４２：インタフェースコネクタ
４３：スリット
４４：スロット
【図１】
0005987333.tif 000002
【図２】
0005987333.tif 000003
【図３】
0005987333.tif 000004
【図４】
0005987333.tif 000005
【図５】
0005987333.tif 000006
【図６】
0005987333.tif 000007
【図７】
0005987333.tif 000008
【図８】
0005987333.tif 000009